(57)【特許請求の範囲】
【請求項１】
それぞれ外部機器に接続可能な複数の入力ポートを備える画像入力部と、
いずれかの前記入力ポートに入力される画像信号に基づく画像を表示面に表示する表示部と、
前記表示面に対して指示体を用いて行われる操作の操作位置を検出する検出部と、
前記画像入力部とは別に設けられ、前記検出部により検出される操作位置を送信する送信部と、
前記入力ポートごとに、前記操作位置を前記送信部により送信する送信先を示す送信先情報を記憶する記憶部と、
を備え、
前記送信部は、前記外部機器から送信された、前記操作位置の送信を要求するか否かを示す情報により、前記操作位置の送信を要求された前記外部機器から前記画像信号の供給を受ける場合に、前記操作位置を前記外部機器に送信することを特徴とする表示装置。
【請求項２】
いずれかの前記入力ポートを選択し、選択した前記入力ポートに入力される画像信号に基づく画像を前記表示部により前記表示面に表示させ、
選択した前記入力ポートに対応する前記送信先情報に基づいて、前記検出部により検出される操作位置を前記送信部に送信させる制御部を備える、ことを特徴とする請求項１記載の表示装置。
【請求項３】
前記入力ポートは、前記外部機器に有線接続されるコネクターを備え、
前記送信部は、前記外部機器との無線通信を実行する無線通信部である、ことを特徴とする請求項１又は２記載の表示装置。
【請求項４】
画像信号を供給する画像供給装置と、前記画像供給装置から供給された前記画像信号を表示面に表示させる表示装置とを備え、
前記表示装置は、それぞれ画像供給装置に接続可能な複数の入力ポートを備える画像入力部と、
いずれかの前記入力ポートに入力される画像信号に基づく画像を表示面に表示する表示部と、
前記表示面に対して指示体を用いて行われる操作の操作位置を検出する検出部と、
前記画像入力部とは別に設けられ、前記検出部により検出される操作位置を送信する送信部と、
前記入力ポートごとに、前記操作位置を前記送信部により送信する送信先を示す送信先情報を記憶する記憶部と、
を備え、
前記画像供給装置は、前記操作位置の送信を前記表示装置に要求するか否かを設定する設定情報を入力する入力部と、
前記入力部により入力された前記設定情報を前記表示装置に送信する送信部と、を備え、
前記表示装置は、前記設定情報により、前記操作位置の送信を要求された前記画像供給装置から前記画像信号の供給を受ける場合に、前記操作位置を前記画像供給装置に送信することを特徴とする表示システム。
【請求項５】
画像入力部が備える、それぞれ外部機器に接続可能な複数の入力ポートのいずれかにより画像信号を入力するステップと、
前記入力するステップにより入力された前記画像信号に基づく画像を表示面に表示するステップと、
前記表示面に対して指示体を用いて行われる操作の操作位置を検出するステップと、
前記検出するステップにより検出される操作位置を、前記画像入力部とは別に設けられた送信部により送信するステップと、を有し、
前記入力ポートごとに、前記操作位置を前記送信部により送信する送信先を示す送信先情報を有し、
前記送信するステップは、前記外部機器から送信された、前記操作位置の送信を要求するか否かを示す情報により、前記操作位置の送信を要求された前記外部機器から前記画像信号の供給を受ける場合に、前記操作位置を前記外部機器に送信することを特徴とする表示装置の制御方法。
【発明の詳細な説明】
【技術分野】
【０００１】
本発明は、表示装置、表示システム、及び、表示装置の制御方法に関する。
【背景技術】
【０００２】
従来、表示装置に外部機器を接続して、外部機器から供給される画像信号を表示装置により表示面に表示させ、表示面に対する指示体の操作位置を外部機器に提供するシステムが知られている（例えば、特許文献１及び２参照）。
このような表示装置と外部機器との接続方法として、特許文献１では、ＲＧＢケーブルとＵＳＢケーブルとの２本のケーブルを用いて接続する方法を開示する。特許文献１に開示された外部機器としてのパーソナルコンピューターは、表示装置としてのプロジェクターにＲＧＢケーブルを介してアナログ映像信号を出力する。また、プロジェクターは、ＵＳＢケーブルを介して、パーソナルコンピューターに操作位置を送信する。また、プロジェクターは、ＵＳＢケーブルを介してパーソナルコンピューターに操作位置を送信する。
特許文献２は、無線通信により画像データを外部機器から表示装置に送信し、無線通信により操作位置を表示装置から外部機器に送信する例を開示する。
【先行技術文献】
【特許文献】
【０００３】
【特許文献１】特開２０１３−９７１７７号公報
【特許文献２】特開２０１４−１１９５３０号公報
【発明の概要】
【発明が解決しようとする課題】
【０００４】
特許文献１に記載のように、表示装置と外部機器とを２本のケーブルで接続した場合、表示装置に接続する外部機器を切り替える際に、ケーブルを２本ともつなぎ変える必要があった。また、特許文献２に記載のように、無線通信を利用して外部機器を表示装置に接続した場合、複数の外部機器を表示装置に接続すると、表示装置において、操作位置を送信する外部機器を切り替えるための操作が必要になる。
本発明は上記事情に鑑みてなされたものであり、画像信号の供給元を切り替える場合の利便性を向上させることを目的とする。
【課題を解決するための手段】
【０００５】
上記目的を達成するために、本発明の表示装置は、それぞれ外部機器に接続可能な複数の入力ポートを備える画像入力部と、いずれかの前記入力ポートに入力される画像信号に基づく画像を表示面に表示する表示部と、前記表示面に対して指示体を用いて行われる操作の操作位置を検出する検出部と、前記画像入力部とは別に設けられ、前記検出部により検出される操作位置を送信する送信部と、前記入力ポートごとに、前記操作位置を前記送信部により送信する送信先を示す送信先情報を記憶する記憶部とを備えることを特徴とする。
本発明によれば、画像信号の供給元を切り替える場合の利便性を向上させることができる。
【０００６】
また、本発明は、上記表示装置において、いずれかの前記入力ポートを選択し、選択した前記入力ポートに入力される画像信号に基づく画像を前記表示部により前記表示面に表示させ、選択した前記入力ポートに対応する前記送信先情報に基づいて、前記検出部により検出される操作位置を前記送信部に送信させる制御部を備えることを特徴とする。
本発明によれば、いずれかの入力ポートに外部機器を接続して、外部機器から画像信号を供給すれば、画像信号に基づく画像が表示面に表示され、外部機器を接続した入力ポートに対応付けられた送信先に操作位置を送信することができる。
【０００７】
また、本発明は、上記表示装置において、前記入力ポートは、前記外部機器に有線接続されるコネクターを備え、前記送信部は、前記外部機器との無線通信を実行する無線通信部であることを特徴とする。
本発明によれば、有線により画像信号を表示装置に供給し、無線により配置位置を外部機器に送信することができる。
【０００８】
本発明の表示システムは、画像信号を供給する画像供給装置と、前記画像供給装置から供給された前記画像信号を表示面に表示させる表示装置とを備え、前記表示装置は、それぞれ画像供給装置に接続可能な複数の入力ポートを備える画像入力部と、いずれかの前記入力ポートに入力される画像信号に基づく画像を表示面に表示する表示部と、前記表示面に対して指示体を用いて行われる操作の操作位置を検出する検出部と、前記画像入力部とは別に設けられ、前記検出部により検出される操作位置を送信する送信部と、前記入力ポートごとに、前記操作位置を前記送信部により送信する送信先を示す送信先情報を記憶する記憶部と、を備えることを特徴とする。
本発明によれば、画像信号の供給元を切り替える場合の利便性を向上させることができる。
【０００９】
また、本発明は、上記表示システムにおいて、前記画像供給装置は、前記操作位置の送信を前記表示装置に要求するか否かを設定する設定情報を入力する入力部と、前記入力部により入力された前記設定情報を前記表示装置に送信する送信部と、を備え、前記表示装置は、前記設定情報により、前記操作位置の送信を要求された前記画像供給装置から前記画像信号の供給を受ける場合に、前記操作位置を前記画像供給装置に送信することを特徴とする。
本発明によれば、操作位置の送信を受けるか否かを画像供給装置ごとに設定することができる。
【００１０】
本発明の表示装置の制御方法は、画像入力部が備える、それぞれ外部機器に接続可能な複数の入力ポートのいずれかにより画像信号を入力するステップと、前記入力するステップにより入力された前記画像信号に基づく画像を表示面に表示するステップと、前記表示面に対して指示体を用いて行われる操作の操作位置を検出するステップと、前記検出するステップにより検出される操作位置を、前記画像入力部とは別に設けられた送信部により送信するステップと、を有し、前記入力ポートごとに、前記操作位置を前記送信部により送信する送信先を示す送信先情報を有することを特徴とする。
本発明によれば、画像信号の供給元を切り替える場合の利便性を向上させることができる。
【図面の簡単な説明】
【００１１】
【図１】表示システムの構成図。
【図２】パーソナルコンピューターの構成図。
【図３】座標データの転送確認用のメッセージを示す図。
【図４】（Ａ）及び（Ｂ）は、設定テーブルを示す図。
【図５】プロジェクターの動作を示すフローチャート。
【図６】パーソナルコンピューターの表示部に表示される設定画面の例を示す図。
【図７】プロジェクターによりスクリーンに表示される対応表を示す図。
【発明を実施するための形態】
【００１２】
以下、図面を参照して本発明の実施形態について説明する。図１は、表示システム１の構成図である。
表示システム１は、プロジェクター１００と、画像信号の供給元である画像供給装置とを備える。プロジェクター１００は、画像供給装置から供給される画像信号に基づく画像をスクリーンＳＣに投射する。プロジェクター１００の設置状態は、スクリーンＳＣの前方に床置きした床置き設置としてもよいし、又は天井から吊り下げた天吊り設置としてもよい。なお、床置き設置の場合には、床に設置した台の上にプロジェクター１００を置く、台置き設置としてもよい。また、投射先は、建物や物体など、一様に平らではない物体であってもよいし、スクリーンＳＣ（表示面）や、建物の壁面等の平らな投射面を有するものであってもよい。本実施形態では平面のスクリーンＳＣに投射する場合を例示する。
【００１３】
画像供給装置には、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター（以下、ＰＣと略記する）等を用いることができる。本実施形態では、ＰＣが画像供給装置（外部機器）として動作する場合を例に説明する。図１には、３台のＰＣ２００Ａ、２００Ｂ、２００Ｃをプロジェクター１００に接続した例を示す。なお、以下では、ＰＣ２００Ａ、２００Ｂ、２００Ｃを総称する場合に、ＰＣ２００と表記する。
【００１４】
表示システム１では、指示体７０を用いてスクリーンＳＣ上の位置を指示する操作を行うことができる。プロジェクター１００は、指示体７０による操作、及び操作により指示される操作位置を検出可能な構成を備える。指示体７０は、例えば、棒状の軸部を有するペン型のデバイスであり、プロジェクター１００を操作するユーザーが手に持って使用する。本実施形態では、指示体７０としてペン型のデバイスを使用する場合を例に挙げて説明するが、指示体７０は、ペン型のデバイスに限定されない。指示体７０には、例えば、指示棒（図示略）等の棒状の指示体であってもよいし、操作者の手や指を指示体として検出することもできる。
【００１５】
プロジェクター１００は、ＰＣ２００が接続される画像入力部１４５を備える。画像入力部１４５は、ケーブルを接続するコネクター及びインターフェース回路（図示略）を備え、ＰＣ２００から供給される画像信号を入力する。
画像入力部１４５が備えるインターフェースは、例えば、Ｅｔｈｅｒｎｅｔ（登録商標）、ＩＥＥＥ１３９４、ＵＳＢ等のデータ通信インターフェースであってもよい。また、インターフェースは、ＭＨＬ（登録商標）、ＨＤＭＩ（登録商標）、ＤｉｓｐｌａｙＰｏｒｔ等の画像データ用のインターフェースであってもよい。また、画像入力部１４５は、コネクターとして、アナログ映像信号（画像信号）が入力されるＶＧＡ端子や、デジタル映像データ（画像信号）が入力されるＤＶＩ（Digital Visual Interface）端子を備える構成であってもよい。画像入力部１４５は、Ａ／Ｄ変換回路を備え、ＶＧＡ端子を介してアナログ映像信号が入力された場合、Ａ／Ｄ変換回路によりアナログ映像信号を画像データに変換して画像処理部１４７に出力する。
【００１６】
本実施形態の画像入力部１４５は、入力ポートとして、コネクター１４１〜１４４の４つのコネクターを備える。コネクター１４１〜１４４は、好ましくは、ＭＨＬ、ＨＤＭＩ、ＤＶＩ、ＤｉｓｐｌａｙＰｏｒｔ、又はＶＧＡ等の画像データ又は画像信号の入力用の端子である。以下では、コネクター１４１〜１４４を総称する場合に、コネクター１４０と表記する。また、本実施形態では、入力ポートがコネクター１４１〜１４４である場合を例に説明するが、入力ポートを、コネクター１４１〜１４４と、各コネクター１４１〜１４４に対応して設けられたインターフェース回路とを備える構成とすることもできる。
また、本実施形態では、プロジェクター１００に画像信号を供給するＰＣ２００をソース機器とも呼び、ソース機器から供給されるアナログ画像信号又はデジタル画像データを画像信号と総称する。
【００１７】
画像入力部１４５は、ＰＣ２００から入力される画像信号を画像処理部１４７に出力する。画像信号が入力された画像処理部１４７の処理については後述する。また、画像入力部１４５は、ＰＣ２００が接続されたコネクター１４０を判別する機能を有する。画像入力部１４５は、コネクター１４１〜１４４いずれかにＰＣ２００が接続されたことを検出すると、接続を検出したことを示す検出信号を、接続を検出したコネクター１４１〜１４４を識別する識別情報と共に制御部１３０に出力する。
【００１８】
プロジェクター１００は、光学的な画像の形成を行い、スクリーンＳＣに画像を表示（投射）する表示部１１０を備える。
表示部１１０は、光源１１１、光変調装置１１２及び投射光学系１１３を有する。光源１１１は、キセノンランプ、超高圧水銀ランプ、ＬＥＤ（Light Emitting Diode）、或いはレーザー光源等からなる光源を備える。また、光源１１１は、光源が発した光を光変調装置１１２に導くリフレクター及び補助リフレクターを備えていてもよい。さらに、投射光の光学特性を高めるためのレンズ群（図示略）、偏光板、或いは光源が発した光の光量を光変調装置１１２に至る経路上で低減させる調光素子等を備えてもよい。
【００１９】
光変調装置１１２は、例えばＲＧＢの三原色に対応した、３枚の透過型液晶パネルを備え、これらの液晶パネルを透過する光を変調して画像光を生成する。光源１１１が発する光はＲＧＢの３色の色光に分離され、各色光は対応する各液晶パネルに入射する。各液晶パネルを通過して変調された色光はクロスダイクロイックプリズム等の合成光学系によって合成され、投射光学系１１３に射出される。
【００２０】
投射光学系１１３は、光変調装置１１２により変調された画像光をスクリーンＳＣ方向へ投射して、スクリーンＳＣ上に結像させるレンズ群を備える。また、投射光学系１１３は、スクリーンＳＣの投射画像の拡大・縮小及び焦点の調整を行うズーム機構、フォーカスの調整を行うフォーカス調整機構を備えていてもよい。
【００２１】
表示部１１０は、制御部１３０の制御に従って光源１１１を点灯及び消灯する光源駆動部１２１、及び制御部１３０の制御に従って光変調装置１１２を動作させる光変調装置駆動部１２２に接続する。光源駆動部１２１は、光源１１１の光量を調整する機能を備えてもよい。
【００２２】
プロジェクター１００は、表示部１１０が投射する画像を処理する画像処理系を備える。この画像処理系は、制御部１３０、記憶部１５０、入力検出部１５３、画像入力部１４５、画像処理部１４７、光源駆動部１２１、光変調装置駆動部１２２、画像合成部１４９を含む。画像処理系を構成する各部は内部バス１８０により相互にデータ通信可能に接続される。また、画像合成部１４９にはフレームメモリー１４８が接続される。フレームメモリー１４８及びその他のデータ処理部を画像処理系に含めてもよい。
【００２３】
プロジェクター１００は、無線通信部（送信部）１６０を備える。無線通信部１６０は、図示しないアンテナやＲＦ（Radio Frequency）回路等を備え、制御部１３０の制御の下、外部の装置との間で無線通信を実行する。無線通信部１６０は、内部バス１８０を介して制御部１３０に接続される。無線通信部１６０の無線通信方式は、例えば無線ＬＡＮ（Local Area Network）、Ｂｌｕｅｔｏｏｔｈ（登録商標）、ＵＷＢ（Ultra Wide Band)、赤外線通信等の近距離無線通信方式、或いは携帯電話回線を利用した無線通信方式を採用できる。
【００２４】
プロジェクター１００は、指示体７０による操作、及び操作により指示される操作位置を検出する、検出部としての指示体検出部１７０を備える。指示体検出部１７０は、撮影部１７１と位置検出部１７２とを備える。
撮影部１７１は、スクリーンＳＣを撮影するデジタルカメラであり、撮影画像データを生成する。撮影部１７１の撮影範囲すなわち画角は、スクリーンＳＣの全体又はスクリーンＳＣを含む範囲であることが好ましい。
撮影部１７１は、可視光による撮影を行うものに限定されず、赤外光を撮影するカメラであってもよい。指示体７０に、赤外線を発光する発光部を設けて、発光部の発光を撮影部１７１により撮影して、指示体７０の操作位置を検出する構成であってもよい。
【００２５】
位置検出部１７２は、指示体７０の操作により指示される操作位置を検出する。位置検出部１７２は、撮影部１７１の撮影画像データを解析して、撮影画像から指示体７０の画像を検出する。撮影画像に指示体７０の画像が含まれる場合、位置検出部１７２は、指示体７０の先端の位置を検出して、検出した位置の座標を算出する。位置検出部１７２が算出する座標は、指示体７０の操作位置の撮影画像における座標である。位置検出部１７２は、操作位置を、投射画像における座標として制御部１３０に出力する。
【００２６】
制御部１３０は、不図示のＣＰＵ、ＲＡＭ、ＲＯＭ等を備え、ＲＯＭ又は記憶部１５０に記憶した制御プログラムを実行して、プロジェクター１００の各部を制御する。制御部１３０は、制御プログラムを実行することにより、投射制御部１３１、操作取得部１３２、描画処理部１３３及び転送制御部１３４として機能する。これらのブロックが行う処理については後述する。
記憶部１５０は、制御部１３０が実行する制御プログラム、及び制御部１３０が処理するデータを不揮発的に記憶する。
【００２７】
入力検出部１５３は、入力デバイスとして機能するリモコン（図示略）による操作、及びプロジェクター１００の本体に搭載された操作パネルによる操作を検出する。入力検出部１５３は、リモコンの操作又は操作パネルの操作を検出すると、検出した操作内容を示す操作データを生成して制御部１３０に出力する。
【００２８】
画像処理部１４７は、制御部１３０の制御に従って、画像入力部１４５から入力される画像データを処理し、処理した画像データを画像合成部１４９に出力する。画像処理部１４７が実行する処理は、例えば、解像度変換（スケーリング）処理又はリサイズ処理、歪み補正等の形状補正処理、デジタルズーム処理、色調補正処理、輝度補正処理等である。画像処理部１４７は、制御部１３０により指定された処理を実行し、必要に応じて、制御部１３０から入力されるパラメーターを使用して処理を行う。また、上記のうち複数の処理を組み合わせて実行することも勿論可能である。
【００２９】
画像合成部１４９は、画像処理部１４７から入力される処理後の画像データをフレームメモリー１４８に展開する。また、画像合成部１４９は、制御部１３０により生成された画像データを取得して、フレームメモリー１４８に展開する。ここで、画像合成部１４９は、画像処理部１４７から入力される画像データと、制御部１３０により生成された画像データとを、フレームメモリー１４８で合成する。画像合成部１４９は、合成した画像データをフレームメモリー１４８から読み出し、表示画像データとして光変調装置駆動部１２２に出力する。
【００３０】
光変調装置駆動部１２２は、光変調装置１１２の液晶パネルに接続する。光変調装置駆動部１２２は、画像合成部１４９から入力される表示画像データに基づきＲ、Ｇ、Ｂの画像信号を生成し、生成した画像信号に基づいて液晶パネルを駆動して各液晶パネルに画像を描画する。
【００３１】
投射制御部１３１は、プロジェクター１００の各部を制御して、スクリーンＳＣへの画像の投射を実行する。投射制御部１３１は、画像処理部１４７を制御して、選択されたコネクター１４１〜１４１に入力された画像データに対する処理を実行する。投射制御部１３１は、画像処理部１４７が実行する処理に必要なパラメーターを、記憶部１５０から読み出して画像処理部１４７に出力してもよい。
また、投射制御部１３１は、画像合成部１４９を制御して、画像を合成する処理を実行し、光変調装置駆動部１２２を制御して光変調装置１１２の液晶パネルに画像を描画させる。さらに、投射制御部１３１は、光源駆動部１２１を制御して光源１１１を点灯させ、光源１１１の輝度を調整させる。これにより、光源１１１が発光し、光変調装置１１２が変調する画像光が投射光学系１１３によりスクリーンＳＣに投射される。
【００３２】
操作取得部１３２は、指示体検出部１７０により検出された操作位置を取得する。指示体検出部１７０が検出する操作位置は、撮影画像における座標として制御部１３０に入力される。操作取得部１３２は、指示体検出部１７０から入力された座標を、描画処理部１３３が描画を行うための座標に変換する処理を行う。本実施形態では、描画処理部１３３は、フレームメモリー１４８に展開される画像データを生成する。このため、操作取得部１３２は、指示体検出部１７０から入力された座標を、フレームメモリー１４８における座標に変換する。
また、操作取得部１３２は、撮影画像における座標を、ＰＣ２００が画像入力部１４５に入力する画像データのフレームにおける座標を示す座標データに変換する。この変換処理は、ＰＣ２００が画像入力部１４５に入力する画像データの解像度や、画像処理部１４７により画像データに対して行った処理に基づいて実行される。
【００３３】
描画処理部１３３は、指示体検出部１７０が検出した操作位置、又は操作位置の軌跡に合わせて記号や図形を描画する処理を行う。描画処理部１３３は、フレームメモリー１４８に展開される画像データのサイズに合わせて、記号や図形の画像データを生成する。描画処理部１３３が生成する画像データは画像処理部１４７に出力され、画像処理部１４７は、描画処理部１３３が生成する画像データに基づき画像をフレームメモリー１４８に展開する。また、画像合成部１４９は、画像をフレームメモリー１４８に展開した後に、描画処理部１３３が生成する画像データに基づく画像を、フレームメモリー１４８で重畳して展開し、合成することも可能である。
【００３４】
転送制御部１３４は、ＰＣ２００が無線通信回線に接続され、ＰＣ２００との無線通信が可能な状態になると、ＰＣ２００に、座標データの転送を受けるか否かを問い合わせるメッセージを送信する。このメッセージの送信は、ＰＣ２００が無線通信回線に接続された際に、ＰＣ２００がプロジェクター１００にメッセージの送信を要求するものであってもよい。転送制御部１３４は、ＰＣ２００からの応答を、例えば、ＰＣ２００のＩＰアドレス（送信先情報）や、ＰＣ２００の端末名等、ＰＣ２００から取得したＰＣ２００を特定可能な情報に対応付けて記憶部１５０に記憶させる。
また、転送制御部１３４は、画像入力部１４５に接続されたＰＣ２００の中から、指示体検出部１７０が検出した操作位置を表す座標データを送信する送信先のＰＣ２００を選択する。転送制御部１３４は、プロジェクター１００に画像データを供給する装置として選択されたＰＣ２００を、座標データを送信する送信先のＰＣ２００として選択する。転送制御部１３４は、選択したＰＣ２００が、座標データの転送を要求するＰＣである場合、選択したＰＣ２００のＩＰアドレスを取得し、取得したＩＰアドレス宛に座標データを送信する。
【００３５】
図２は、ＰＣ２００の構成図である。
ＰＣ２００は、制御部２１０を備える。制御部２１０は、ＣＰＵ２１１、ＲＯＭ２１２、ＲＡＭ２１３を備える。制御部２１０は、内部バス２２０に接続される。内部バス２２０には、入出力インターフェース２２５が接続される。
【００３６】
入出力インターフェース２２５には、入力部２４１、表示部２４２、記憶部２４３、無線通信部（送信部）２４４、画像出力部２４５が接続される。
入力部２４１は、ユーザーが操作を入力するキーボード、マウスなどの入力デバイスを備える。表示部２４２には、操作画面や処理結果の画像が表示される。記憶部２４３は、制御プログラムや各種データを記憶する。
【００３７】
無線通信部２４４は、図示しないアンテナやＲＦ回路等を備え、制御部２１０の制御の下、プロジェクター１００等の外部の装置との間で無線通信を実行する。無線通信部２４４の無線通信方式は、例えば無線ＬＡＮ（Local Area Network）、Ｂｌｕｅｔｏｏｔｈ（登録商標）、ＵＷＢ（Ultra Wide Band)、赤外線通信等の近距離無線通信方式、或いは携帯電話回線を利用した無線通信方式を採用できる。
画像出力部２４５は、ケーブルを接続するコネクター及びインターフェース回路（いずれも図示略）を備え、プロジェクター１００に画像データを出力する。
画像出力部２４５が備えるインターフェースは、例えば、Ｅｔｈｅｒｎｅｔ、ＩＥＥＥ１３９４、ＵＳＢ等のデータ通信インターフェースであってもよい。また、ＭＨＬ、ＨＤＭＩ、ＤｉｓｐｌａｙＰｏｒｔ等の画像データ用のインターフェースであってもよい。また、画像出力部２４５は、コネクターとして、アナログ映像信号が入力されるＶＧＡ端子や、デジタル映像信号が入力されるＤＶＩ端子を備える構成であってもよい。
【００３８】
ＰＣ２００の制御部２１０は、プロジェクター１００から、座標データの転送を要求するか否かを問い合わせるメッセージを受信すると、受信したメッセージを表示部２４２に表示させる。
図３は、ＰＣ２００の表示部２４２に表示された、座標データの転送確認用のメッセージを示す図である。ＰＣ２００のユーザーは、入力部２４１が備える入力デバイスを操作して、座標データの転送を要求するか否かを設定する。ＰＣ２００の制御部２１０は、無線通信部２４４を制御して、座標データの転送を要求するか否かを示す情報や、ＰＣ２００の端末名等を設定情報として無線通信によりプロジェクター１００に送信する。
【００３９】
プロジェクター１００の制御部１３０は、ＰＣ２００から送信された設定情報が入力されると、入力された設定情報を設定テーブルに登録する。設定テーブルは、記憶部１５０又は制御部１３０のＲＡＭに記憶されるテーブルである。
図４（Ａ）は、設定テーブルを示す図である。設定テーブルには、無線通信により接続されたＰＣ２００が、座標データの転送が必要なＰＣであるか否かを示す要否情報が、ＰＣ２００のＩＰアドレスや、ＰＣ２００の端末名等、ＰＣ２００を特定可能な情報に対応付けて登録される。
【００４０】
図５は、プロジェクター１００の制御部１３０の動作を示すフローチャートである。
複数のＰＣ２００がプロジェクター１００に接続された状況において、プロジェクター１００に画像データを供給するＰＣ２００が変更された場合の処理について説明する。
プロジェクター１００の制御部１３０は、入力検出部１５３から操作信号が入力されたか否かを監視する。入力検出部１５３は、リモコン又は操作パネルが操作されると、操作に対応した操作信号を制御部１３０に出力する。
制御部１３０は、入力検出部１５３からの操作信号の入力がない場合（ステップＳ１／ＮＯ）、操作信号が入力されるまで待機する。また、制御部１３０は、操作信号が入力されると（ステップＳ１／ＹＥＳ）、入力された操作信号がソース機器の切り替え指示であるか否かを判定する（ステップＳ２）。ソース機器の切り替え指示とは、プロジェクター１００に画像データを供給するＰＣ２００を、他のＰＣ２００に切り替える指示を意味する。制御部１３０は、操作信号が、例えば、画像データの拡大、縮小等、ソース機器の切り替え指示ではない場合（ステップＳ２／ＮＯ）、操作信号に対応した処理を実行し（ステップＳ３）、ステップＳ１０の判定に移行する。
【００４１】
また、制御部１３０は、入力された操作信号が、ソース機器の切り替え指示である場合（ステップＳ２／ＹＥＳ）、各コネクター１４０に接続されたＰＣ２００を特定する情報として、ＰＣ２００の端末名を取得する（ステップＳ４）。制御部１３０には、画像入力部１４５から検出信号と、ＰＣ２００の接続を検出したコネクター１４１〜１４４を識別する識別情報とが入力される。制御部１３０は、画像入力部１４５から入力された検出信号及び識別情報に基づいて、ＰＣ２００が接続されたコネクター１４１〜１４４を判定し、コネクター１４１〜１４４に接続されたＰＣ２００から、ＰＣ２００の端末名を取得する。制御部１３０は、取得した情報を設定テーブルに登録する。
図４（Ｂ）は、設定テーブルを示す図である。制御部１３０は、取得したＰＣ２００の端末名が登録された設定テーブルのセルに、このＰＣ２００が接続されたコネクター１４１〜１４４又はインターフェースを追加登録する。すなわち、ＰＣ２００が接続されたコネクター１４１〜１４４、又はインターフェースと、接続されたＰＣ２００の送信先情報であるＩＰアドレスとが対応付けられる。なお、画像入力部１４５は各コネクター１４０に、有効な映像信号が入力されているかどうかを検出する機能を備えていてもよい。
【００４２】
例えば、ＰＣ２００がコネクター１４０としてのＶＧＡ端子に接続された場合、ＶＥＳＡ(Video Electronics Standards Association)において規定された接続規格であるＥＤＩＤ(Extended Display Identification Data)/ＤＤＣ(Display Data Channel)を利用して、制御部１３０は、接続したＰＣ２００の端末名等の固有情報を取得することができる。
ＰＣ２００がコネクター１４０としてのＨＤＭＩ端子に接続された場合、制御部１３０は、ＨＤＭＩ規格に準拠したＣＥＣ（Consumer Electronics Control）制御線よりＰＣ２００の端末名等の固有情報を取得することができる。
また、ＰＣ２００がコネクター１４０としてのＵＳＢ端子や、有線ＬＡＮの通信ポートに接続された場合、制御部１３０は、接続したＰＣ２００と通信を行ってＰＣ２００の端末名等の固有情報を取得することができる。
【００４３】
また、プロジェクター１００の画像入力部１４５が備えるコネクター１４１〜１４４のいずれかにＰＣ２００が接続されると、制御部１３０が、接続したＰＣ２００に、設定画面を表示させて、ＰＣ２００を接続したインターフェースと、ＰＣ２００を特定する情報とをユーザーに入力させる構成であってもよい。
図６は、ＰＣ２００の表示部２４２に表示される設定画面の例を示す図である。
図６に示す設定画面では、プロジェクター１００が備えるインターフェース又はコネクター１４０の中から、ＰＣ２００を接続したインターフェース又はコネクター１４０を選択する選択欄と、プロジェクター１００に接続したＰＣ２００を特定する、端末名等の情報を入力する入力欄とが表示される。
ＰＣ２００のユーザーは、表示部２４２に表示された設定画面を参照して、入力部２４１の入力デバイスを用いて、インターフェースを選択する選択情報と、端末名等のＰＣ２００を特定する情報とを入力する。ＰＣ２００の制御部２１０は、入力部２４１により必要な情報を受け付けると、受け付けた選択情報及び端末名をプロジェクター１００に送信する。プロジェクター１００の制御部１３０は、ＰＣ２００から受信した選択情報及び端末名を設定テーブルに登録する。
【００４４】
次に、制御部１３０は、ＰＣ２００を特定する端末名と、この端末名のＰＣ２００が接続されたインターフェースとを対応付けた対応表を表す画像データを生成して、表示部１１０によりスクリーンＳＣに表示させる（ステップＳ５）。
図７は、プロジェクター１００によってスクリーンＳＣに表示される対応表を示す図である。ユーザーは、スクリーンＳＣに投射された対応表を参照しながら、リモコン又は操作パネルを操作して、ソース機器として動作させるＰＣ２００を選択する。入力検出部１５３は、リモコン又は操作パネルの操作に対応した操作信号を制御部１３０に出力する。
【００４５】
制御部１３０は、操作信号として、ソース機器として動作させるＰＣ２００を選択する情報が入力されない場合（ステップＳ６／ＮＯ）、ＰＣ２００を選択する情報が入力されるまで待機する。
制御部１３０は、ＰＣ２００を選択する情報が入力されると（ステップＳ６／ＹＥＳ）、選択する情報により選択されたＰＣ２００（以下、選択ＰＣと表記する）が接続されたインターフェースを有効に設定する（ステップＳ７）。すなわち、制御部１３０は、選択ＰＣ２００から入力される画像データが、画像処理部１４７に入力され、画像処理部１４７及び画像合成部１４９で処理されて、表示部１１０によりスクリーンＳＣに投射されるように制御する。
【００４６】
また、制御部１３０は、選択ＰＣ２００が変更されると、記憶部１５０に記憶された設定テーブルを参照して、選択ＰＣ２００が座標データの送信を要求するＰＣとして登録されているか否かを判定する（ステップＳ８）。制御部１３０は、選択ＰＣ２００が、座標データの送信を要求するＰＣとして設定テーブルに登録されている場合（ステップＳ８／ＹＥＳ）、選択ＰＣ２００のＩＰアドレス（送信先情報）を取得して、取得したＩＰアドレスを、無線通信部１６０による無線通信の通信先として設定する（ステップＳ９）。また、制御部１３０は、選択ＰＣ２００が、座標データの送信を要求するＰＣとして設定テーブルに登録されていない場合（ステップＳ８／ＮＯ）、ステップＳ１０の処理に移行する。
【００４７】
この後、制御部１３０は、指示体検出部１７０により指示体７０の操作位置が検出されたか否かを判定する処理を行う。指示体検出部１７０により指示体７０の操作位置が検出された場合、制御部１３０は、検出された操作位置を、画像データのフレームにおける座標を示す座標データに変換する。制御部１３０は、変換された座標データを無線通信部１６０に出力する。無線通信部１６０は、制御部１３０により設定された、ＩＰアドレスの通信先に座標データを送信する。
無線通信部１６０がＰＣ２００に送信する座標データは、各ＰＣ２００において、マウス、トラックボール、デジタイザー又はペンタブレット等のポインティングデバイスが出力する座標データと同様のデータ、例えば相対座標データとして入力される。もちろん絶対座標データであってもかまわない。
座標データを受信したＰＣ２００は、指示体７０の指示位置に従って描画を行う場合、受信した座標データに基づいて、例えば線や図形を描画し、描画した線や図形を、プロジェクター１００に出力中の画像に重ねて新たな画像データを生成する。ＰＣ２００は、生成した画像データをプロジェクター１００に出力する。
【００４８】
次に、制御部１３０は、スクリーンＳＣへの画像の投射を終了させる操作信号が入力されたか否かを判定する（ステップＳ１０）。画像の投射を終了させる操作信号が入力されていない場合（ステップＳ１０／ＮＯ）、制御部１３０は、ステップＳ１の処理に移行する。また、画像の投射を終了させる操作信号が入力された場合（ステップＳ１０／ＹＥＳ）、制御部１３０は、この処理フローを終了させる。
【００４９】
以上詳細に説明したように本実施形態のプロジェクター１００は、画像入力部１４５、表示部１１０と、指示体検出部１７０と、無線通信部１６０とを備える。
画像入力部１４５は、それぞれＰＣ２００に接続可能な複数のコネクター１４１〜１４４を備える。表示部１１０は、いずれかのコネクター１４１〜１４４に入力される画像信号に基づく画像をスクリーンＳＣに表示させる。指示体検出部１７０は、スクリーンＳＣに対して指示体７０を用いて行われる操作の操作位置を検出する。無線通信部１６０は、画像入力部１４５とは別に設けられ、指示体検出部１７０により検出される操作位置を送信する。そして、プロジェクター１００は、コネクター１４１〜１４４ごとに、操作位置を無線通信部１６０により送信する送信先を示すＩＰアドレスを設定した設定情報を記憶部１５０に記憶する。従って、画像信号の供給元となるＰＣ２００を切り替える場合の利便性を向上させることができる。
【００５０】
また、プロジェクター１００は、制御部１３０を備える。制御部１３０は、いずれかのコネクター１４１〜１４４を選択し、選択したコネクター１４１〜１４４に入力される画像信号に基づく画像を表示部１１０によりスクリーンＳＣに表示させる。また、制御部１３０は、選択したコネクター１４１〜１４４に対応する送信先情報に基づいて、指示体検出部１７０により検出される操作位置を無線通信部１６０に送信させる。従って、いずれかのコネクター１４１〜１４４にＰＣ２００を接続して、ＰＣ２００から画像信号を供給すれば、画像信号に基づく画像がスクリーンＳＣに表示され、ＰＣ２００を接続したコネクター１４１〜１４４に対応付けられた送信先に操作位置を送信することができる。
【００５１】
また、コネクター１４１〜１４４は、ＰＣ２００に有線接続されるコネクターであって、無線通信部１６０は、ＰＣ２００との無線通信を実行する通信部である。従って、ＰＣ２００からプロジェクター１００に有線で画像信号を供給することができ、プロジェクター１００からＰＣ２００に無線で配置位置を送信することができる。
【００５２】
なお、上述した実施形態は、本発明の好適な実施形態を示すものであり、本発明を限定するものではなく、本発明の要旨を逸脱しない範囲内において種々の変形実施が可能である。
例えば、コネクター１４０と、各コネクター１４１〜１４４に接続するＰＣ２００とが事前に対応付けられて、各コネクター１４１〜１４４に接続するＰＣ２００が固定である場合、プロジェクター１００は、ＰＣ２００のＩＰアドレス等を取得する必要はない。この場合、各コネクター１４１〜１４４に、座標情報を送信する送信先を示すＩＰアドレスが事前に対応付けられる。制御部１３０は、コネクター１４１〜１４４のいずれかにＰＣ２００の接続を検出すると、検出したコネクター１４１〜１４４に事前に対応付けられたＩＰアドレス宛に座標データを送信する。
また、上述した実施形態は、座標データの送信に、無線ＬＡＮによる無線通信を用いたが、Ｂｌｕｅｔｏｏｔｈ、ＩｒＤＡ、ＺｉｇＢｅｅ等の近距離無線通信を利用することもできる。
【００５３】
また、プロジェクター１００が指示体検出部１７０を内蔵する構成を例に挙げて説明したが、本発明はこれに限定されず、指示体検出部１７０がプロジェクター１００に外部接続される構成であってもよい。例えば、指示体検出部１７０の機能を有する位置検出装置を、プロジェクター１００のそれぞれに接続して使用してもよい。
【００５４】
また、本発明の表示装置は、透過型液晶パネルを用いた液晶プロジェクターとして説明したが、反射型の液晶パネルやデジタルミラーデバイスを用いたプロジェクターであってもよい。また、スクリーンＳＣに画像を投射するプロジェクターに限定されず、液晶表示パネルに画像を表示する液晶モニター又は液晶テレビ、或いは、ＰＤＰ（プラズマディスプレイパネル）に画像を表示するモニター装置又はテレビ受像機、ＯＬＥＤ（Organic light-emitting diode）、ＯＥＬ（Organic Electro-Luminescence）等と呼ばれる有機ＥＬ表示パネルに画像を表示するモニター装置又はテレビ受像機等の自発光型の表示装置など、各種の表示装置も本発明の表示装置に含まれる。
【００５５】
また、図１及び図２に示したプロジェクター１００やＰＣ２００の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、表示システム１の他の各部の具体的な細部構成についても、本発明の趣旨を逸脱しない範囲で任意に変更可能である。
【符号の説明】
【００５６】
１…表示システム、７０…指示体、１００…プロジェクター（表示装置）、１１０…表示部、１３０…制御部、１３１…投射制御部、１３２…操作取得部、１３３…描画処理部、１３４…転送制御部、１４１〜１４４…コネクター（入力ポート）、１４５…画像入力部、１６０…無線通信部（送信部）、１７０…指示体検出部（検出部）、２００…パーソナルコンピューター（外部機器、画像供給装置）２１０…制御部、２４１…入力部、２４２…表示部、２４４…無線通信部（送信部）、ＳＣ…スクリーン（表示面）。
【図１】
0006596935.tif 000002
【図２】
0006596935.tif 000003
【図３】
0006596935.tif 000004
【図４】
0006596935.tif 000005
【図５】
0006596935.tif 000006
【図６】
0006596935.tif 000007
【図７】
0006596935.tif 000008